(57)【特許請求の範囲】
【請求項１】
ディスク状記録媒体が装着されるターンテーブルを有し、前記ディスク状記録媒体の直径よりも小さい横幅寸法に形成されたトレイと、
前記トレイが前記ディスク状記録媒体を交換するディスク交換位置、または前記ディスク状記録媒体を収容するディスク装着位置へ移動するように支持し、前記トレイが前記ディスク装着位置へ移動したときに前記トレイの側方にはみ出した前記ディスク状記録媒体に対向するように張り出した張り出し部を有するフレームと、
を備えてなるディスク装置において、
前記トレイを前記ディスク装着位置へ移動したときに前記張り出し部の少なくとも前記ディスク状記録媒体に対向する領域に低摩擦部材を被覆形成し、前記低摩擦部材の上面が前記トレイのディスク収納部よりも高くなることを特徴とするディスク装置。
【請求項２】
前記低摩擦部材を、前記ディスク状記録媒体に対向する前記張り出し部の全面に被覆形成したことを特徴とする請求項１記載のディスク装置。
【請求項３】
前記トレイと前記張り出し部との境界に形成された前記トレイの角部をＲ形状または面取り形状としたことを特徴とする請求項１または２に記載のディスク装置。
【請求項４】
前記トレイは、前面に取り付けられる前面ベゼルを前記トレイの移動方向に沿う動きを規制するように係止する第１の係止部と、前記第１の係止部の係止解除方向の動きを規制するように係止する第２の係止部とを備えてなることを特徴とする請求項１乃至３の何れかに記載のディスク装置。
【発明の詳細な説明】
【０００１】
【発明の属する技術分野】
本発明はディスク装置に係り、特にトレイに設けられたターンテーブルにディスク状記録媒体を装着させるよう構成されたディスク装置に関する。
【０００２】
【従来の技術】
従来のディスク装置としては、例えばノート型のパーソナルコンピュータ等に搭載されるように構成されたＣＤ−ＲＯＭ装置がある。この種のＣＤ−ＲＯＭ装置では、ディスク状記録媒体が装着されるトレイの横幅寸法をディスク状記録媒体（以下、単に「ディスク」と称す）の直径よりも小さくすることでパーソナルコンピュータの薄型化及び軽量化に対応させている。
【０００３】
この種のＣＤ−ＲＯＭ装置としては、例えば、図１（Ａ）に示されるように、金属製のフレーム１のトレイ収納部２内にトレイ３が摺動可能に支持されており、トレイ３の上面にはディスクがクランプされるターンテーブル４が設けられている。また、トレイ３の内部には、ターンテーブル４を回転駆動するモータ（ターンテーブルに隠れて見えない）やディスクに記録された情報を読み取る光ピックアップ５が設けられている。
【０００４】
また、トレイ３は、その前面に取り付けられた前面ベゼル６に設けられたイジェクト釦（図示せず）が押圧操作されることで、ロック機構（図示せず）によるロックが解除され、イジェクト方向に移動可能となる。さらに、トレイ３は、横幅寸法がディスクの直径（１２ｃｍ）よりも小さく形成されている。
【０００５】
そして、トレイ収納部２の側方には、トレイ３から三日月状にはみ出したディスクのはみ出し部と対向するようにフレーム１の張り出し部８が延在形成されている。また、トレイ収納部２に収納されたトレイ３及びフレーム１の張り出し部８の上方は、板金製のカバー（図示せず）により覆われる。
【０００６】
ターンテーブル４にクランプされたディスクは、トレイ３の上面３ａと張り出し部６に対向するように装着され、カバーにより覆われた空間内を回転駆動される。
【発明が解決しようとする課題】
しかしながら、上記のように構成されたディスク装置では、外部からの衝撃が加えられると、ターンテーブル４にクランプされたディスクの周縁部分が上下方向に振動してカバーや張り出し部８に衝突するおそれがある。
【０００７】
また、図１（Ｂ）に示されるように、トレイ３の上面３ａがフレーム１の張り出し部６よりも高い位置にあるため、ディスク７が下方に撓むと、回転駆動されたディスク７の下面が破線で示すようにトレイ３の上面３ａのエッジ３ｂに擦られることになり、ディスク７下面（記録面）が損傷するおそれがあった。
【０００８】
そこで、本発明は上記課題を解決したディスク装置を提供することを目的とする。
【０００９】
【課題を解決するための手段】
上記請求項１記載の発明は、ディスク状記録媒体が装着されるターンテーブルを有し、ディスク状記録媒体の直径よりも小さい横幅寸法に形成されたトレイと、前記トレイが前記ディスク状記録媒体を交換するディスク交換位置、または前記ディスク状記録媒体を収容するディスク装着位置へ移動するように支持し、前記トレイが前記ディスク装着位置へ移動したときに前記トレイの側方にはみ出した前記ディスク状記録媒体に対向するように張り出した張り出し部を有するフレームと、を備えてなるディスク装置において、前記トレイを前記ディスク装着位置へ移動したときに前記張り出し部の少なくとも前記ディスク状記録媒体に対向する領域に低摩擦部材を被覆形成し、前記低摩擦部材の上面が前記トレイのディスク収納部よりも高くなることを特徴とするものであり、外部からの衝撃によりディスク状記録媒体が撓んでも周縁部が低摩擦部材に接触することによりディスク状記録媒体の記録面がトレイの角部に接触せず、ディスク状記録媒体の記録面が損傷することを防止する。
また、請求項２記載の発明は、前記低摩擦部材を、前記ディスク状記録媒体に対向する前記張り出し部の全面に被覆形成したことを特徴とするものであり、外部からの衝撃によりディスク状記録媒体が撓んでも周縁部が低摩擦部材に接触することにより、ディスク状記録媒体の記録面がトレイの角部に接触せず、ディスク状記録媒体の記録面が損傷することを防止する。
【００１０】
また、請求項３記載の発明は、トレイと張り出し部との境界に形成されたトレイの角部をＲ形状または面取り形状としたものであり、外部からの衝撃によりディスク状記録媒体が撓んでもトレイの角部がないので、過大な衝撃が入力された場合でもディスク状記録媒体の記録面が損傷することを防止する。
【００１１】
また、請求項４記載の発明は、前面に取り付けられる前面ベゼルをトレイの移動方向に沿う動きを規制するように係止する第１の係止部と、第１の係止部の係止解除方向の動きを規制するように係止する第２の係止部とを備えており、前面ベゼルを引き出す方向に力が作用した場合でも前面ベゼルの脱落を防止しうる。
【００１２】
【発明の実施の形態】
以下、図面と共に本発明の一実施例について説明する。
図２は本発明になるディスク装置の一実施例を示す平面図である。
図２に示されるように、ディスク装置１１は、例えばＣＤ−ＲＯＭあるいはＣＤ−Ｒ，ＣＤ−ＲＷ，ＤＶＤ−ＲＯＭ，ＤＶＤ−ＲＡＭ等のディスク状記録媒体が装着されるドライブ装置であり、トレイ２０に光ディスク２２が載置されてトレイ２０が装着位置（Ｂ方向）に移動されると、情報の記録または再生を行う。
【００１３】
ディスク装置１１は、トレイ２０の中央にターンテーブル１８を有しており、ターンテーブル１８は、ディスク２２の中央孔に嵌合してディスク２２を内周からクランプするクランプ機構２３を有する。また、ターンテーブル１８の周囲には、光ディスク２２の直径よりも大径なディスク収納部２４が形成されている。
【００１４】
そして、ディスク収納部２４の下方には、ターンテーブル１８のクランプ機構２３にクランプされたディスク２２に記録された情報を読み取るための光ピックアップ２６がディスク半径方向に移動可能に取り付けられている。
【００１５】
トレイ２０は、シールド効果を備えた金属製のフレーム１６により摺動可能に支持されている。また、フレーム１６に設けられた回路基板１２とトレイ２０の下面に取り付けられた基板（図示せず）との間は、フレキシブル配線板１３を介して電気的に接続されている。回路基板１２には、フレキシブル配線板１３の一端が接続されるコネクタ１２ａが取り付けられている。そして、トレイ２０の基板（図示せず）には、コネクタ１４ａ，１４ｂが取り付けられている。
【００１６】
フレキシブル配線板１３は、固定側のコネクタ１２ａに接続される第１の配線板１５と、可動側のコネクタ１４ａ，１４ｂに接続される第２の配線板１７，１９と、第１の配線板１５と第２の配線板１７，１９とを接続する第３の配線板２１とを有する。
【００１７】
トレイ２０は、光ディスク２２をクランプして回転駆動するターンテーブル１８と、光ディスク２２の半径方向に移動可能に設けられ光ディスク２２に情報を記録したり、あるいは光ディスク２２に記録された情報を光学的に読み取る光ピックアップ２６を有する。
【００１８】
また、トレイ２０は、フレーム１６に対してガイドレール機構４０，４２によりＡ，Ｂ方向に摺動自在に支持されており、手動操作でディスク交換位置またはディスク装着位置へ移動する。
【００１９】
トレイ２０は、横幅が光ディスク２２の直径よりも小さくなっており、その分ディスク装置１１の小型化、薄型化に寄与している。従って、ターンテーブル１８にクランプされた光ディスク２２は、トレイ２０のディスク収納部２４から三日月状にはみ出すことになる。
【００２０】
そのため、トレイ２０の側方には、ディスク収納部２４からはみ出した光ディスク２２のはみ出し部を保護するため、フレーム１６の右側面から側方に突出した張り出し部１６ａが設けられている。この張り出し部１６ａは、ターンテーブル１８にクランプされた光ディスク２２の下面（記録面側）に所定の隙間を介して対向するように形成されている。
【００２１】
そして、張り出し部１６ａの上面には、光ディスク２２の下面に対向する三日月状領域（図２中、ハッチングで示す）に低摩擦部材２５が被覆されている。この低摩擦部材２５は、表面の摩擦系数が極めて小さい材質（例えば、４フッ化エチレン樹脂、ＰＥＴ（ポリ・エチレン・テレフタレート）樹脂など）により形成されている。
【００２２】
低摩擦部材２５は、上記のような樹脂材によるシート状のものを接着剤などにより貼り付けることで張り出し部１６ａの上面を被覆するように設けられる。あるいは、低摩擦部材２５は、粘着シールの表面に低摩擦の樹脂層が積層されたシート状シールでも良い。
【００２３】
図３はトレイをディスク装着位置に挿入した状態を示す平面図である。図４はトレイをディスク装着位置に挿入した状態を示す斜視図である。
【００２４】
図３及び図４に示されるように、トレイ２０がフレーム１６内に収納されると、ターンテーブル１８にクランプされた光ディスク２２のはみ出し部が張り出し部１６ａの上面に形成された低摩擦部材２５に所定の隙間を介して対向する。そのため、外部からの衝撃が入力されて光ディスク２２の周縁部が撓んだ場合には、光ディスク２２の周縁部が低摩擦部材２５の表面に摺接することになる。
【００２５】
低摩擦部材２５の表面は、摩擦係数が小さいので、光ディスク２２の周縁部が接触しても光ディスク２２の記録面が損傷することが防止される。
【００２６】
光ピックアップ２６は、ディスク収納部２４の凹部２４ａに収納されており、凹部２４ａは光ピックアップ２６の対物レンズ２７が移動する範囲に開口２８ａを有するピックアップカバー２８で覆われている。また、トレイ２０の前端に結合された前面ベゼル３０は、中央にイジェクト釦３２が設けられている。
【００２７】
また、ターンテーブル１８の下方には、ターンテーブル１８及びクランプ機構２３にクランプされたディスク２２を回転駆動するディスクモータ（図示せず）が設けられている。
【００２８】
図２に示されるように、前面ベゼル３０に設けられたイジェクト釦３２が押圧操作されると、フレーム１６上に設けられたロック機構（図示せず）によるトレイ２０の係止が解除される。トレイ２０は両側のガイドレール機構４０，４２を介して摺動可能に支持されているので、係止解除されたトレイ２０は手動操作によりＡ方向にスライドしてディスク交換位置に引き出される。
【００２９】
また、ディスク交換位置に引き出されたトレイ２０のターンテーブル１８にディスク２２がクランプされる。その後、操作者は前面ベゼル３０をＢ方向に押圧操作することにより、トレイ２０を図３及び図４に示すディスク装着位置に復帰させる。そして、ディスク装着位置に復帰したトレイ２０は、フレーム１６上に設けられたロック機構（図示せず）によって係止される。
【００３０】
ピックアップ駆動機構３４は、光ピックアップ２６の移動方向を案内する一対のガイドシャフト３５，３６と、光ピックアップ２６を駆動する駆動モータ３７と、駆動モータ３７の回転駆動力を光ピックアップ２６に伝達する伝達機構３８とから構成されている。
【００３１】
図５はトレイ２０と低摩擦部材２５との高さ関係を示す縦断面図である。
図５に示されるように、トレイ２０のディスク収納部２４は、フレーム１６の張り出し部１６ａより寸法ＨＡだけ高い。しかしながら、張り出し部１６ａに形成された低摩擦部材２５は、その上面がディスク収納部２４よりも微小寸法ＨＢだけ僅かに高くなる厚さ寸法に形成されている。
【００３２】
従って、外部からの衝撃が入力されて光ディスク２２の周縁部が撓んだ場合には、光ディスク２２の周縁部が図５中破線で示すように低摩擦部材２５の表面に摺接することになるが、光ディスク２２の下面がトレイ２０のディスク収納部２４の端部２１に接触しない。これにより、光ディスク２２は、記録面である下面がディスク収納部２４の端部２１によって損傷することが防止される。
【００３３】
また、トレイ２０のディスク収納部２４は、張り出し部１６ａとの境界に形成された端部２１がＲ形状に形成されており、張り出し部１６ａに対して滑らかな形状となっている。そのため、例えば、ディスク装置１１を誤って床に落下させてしまった場合、光ディスク２２に大きな衝撃が作用して図５中破線で示す位置よりもさらに下方へ大きく撓むことになるが、光ディスク２２は、記録面である下面がディスク収納部２４の端部２１に接触しても大きく損傷することが防止される。
【００３４】
さらに、ディスク下面に対向するトレイの端部及び張り出し部１６ａの上面を滑らかな形状としたことにより、ディスク高速回転時にディスク下方で発生する空気の流れを滑らかにすることができる。従って、空気渦の発生を抑制してディスク装置の動作音・振動を軽減することができる。
【００３５】
また、端部２１は、上記のようなＲ形状以外の形状（例えば、面取り形状）でも良いのは勿論である。
【００３６】
図６は前面ベゼル３０の取り付け構造を説明するための底面図である。図７は前面ベゼル３０の底面図である。
図６及び図７に示されるように、前面ベゼル３０は、裏面に４個のフック（第１の係止部）３０ａが突出しており、フック３０ａは、トレイ２０の移動方向と直交する横方向に延在する凹部３０ｂを有する。
【００３７】
また、前面ベゼル３０の裏面には、前面ベゼル３０に対してトレイ２０の移動方向（Ａ，Ｂ方向）と直交する横方向（Ｃ，Ｄ方向）の動きを規制する突部（第２の係止部）３０ｃが突出している。
【００３８】
また、トレイ２０の前面には、前面ベゼル３０のフック３０ａに係合するＬ字状突部４４がトレイ２０の移動方向（Ａ，Ｂ方向）と直交する横方向（Ｃ，Ｄ方向）に延在する向きに形成されている。さらに、トレイ２０の前面には、突部３０ｃを係止する三角形状のストッパ部４６が設けられている。
【００３９】
図８に示されるように、前面ベゼル３０をトレイ２０の前面に取り付ける場合、前面ベゼル３０の裏面に突出するフック３０ａの位置とトレイ２０の前面に設けられたＬ字状突部４４との相対位置を一致させる。
【００４０】
この状態を拡大すると、図９に示すように各フック３０ａの凹部３０ｂがＬ字状突部４４の先端と対向する。同時に、前面ベゼル３０の突部３０ｃがトレイ２０の前面に設けられた三角形状のストッパ部４６の傾斜部４６ａに対向する。
【００４１】
次に前面ベゼル３０をＤ方向に移動させると、図１０に示されるように、各フック３０ａの凹部３０ｂにＬ字状突部４４の先端が嵌合してトレイ移動方向（Ａ，Ｂ方向）及びトレイ移動方向と直交するＤ方向の移動が規制される。同時に、前面ベゼル３０の突部３０ｃがトレイ２０の前面に設けられた三角形状のストッパ部４６の傾斜部４６ａを通過してストッパ部４６の角部４６ｂに係止され、前面ベゼル３０のＣ方向への移動が阻止される。
【００４２】
これにより、前面ベゼル３０は、トレイ２０の前面に対してＡ，Ｂ方向及びＣ，Ｄ方向の移動が規制され、外部からＡ方向の力が作用してもトレイ２０からの脱落が確実に防止される。
【００４３】
尚、上記実施の形態では、ＣＤ−ＲＯＭ装置１０に用いられた構成を一例として挙げたが、これに限らず、例えばＣＤ−Ｒ／ＲＷ装置、ＤＶＤ―ＲＯＭ装置、ＤＶＤ―ＲＡＭ装置、ＤＶＤ―Ｒ／ＲＷ装置、あるいは光磁気ディスク装置などにも適用できるのは勿論である。
【００４４】
また、上記実施例では、トレイ２０からはみ出したディスクに対向する領域に低摩擦部材２５を貼り付けたが、これに限らず、張り出し部１６ａの全面に低摩擦部材２５を貼り付けても良いのは勿論である。
【００４５】
【発明の効果】
上述の如く、請求項１記載の発明によれば、ディスク状記録媒体が装着されるターンテーブルを有し、ディスク状記録媒体の直径よりも小さい横幅寸法に形成されたトレイと、前記トレイが前記ディスク状記録媒体を交換するディスク交換位置、または前記ディスク状記録媒体を収容するディスク装着位置へ移動するように支持し、前記トレイが前記ディスク装着位置へ移動したときに前記トレイの側方にはみ出した前記ディスク状記録媒体に対向するように張り出した張り出し部を有するフレームと、を備えてなるディスク装置において、前記トレイを前記ディスク装着位置へ移動したときに前記張り出し部の少なくとも前記ディスク状記録媒体に対向する領域に低摩擦部材を被覆形成し、前記低摩擦部材の上面が前記トレイのディスク収納部よりも高くなることを特徴とするものであり、外部からの衝撃によりディスク状記録媒体が撓んでも周縁部が低摩擦部材に接触することによりディスク状記録媒体の記録面がトレイの角部に接触せず、ディスク状記録媒体の記録面が損傷することを防止することができる。
また、請求項２記載の発明によれば、前記低摩擦部材を、前記ディスク状記録媒体に対向する前記張り出し部の全面に被覆形成したことを特徴とするものであり、外部からの衝撃によりディスク状記録媒体が撓んでも周縁部が低摩擦部材に接触することにより、ディスク状記録媒体の記録面がトレイの角部に接触せず、ディスク状記録媒体の記録面が損傷することを防止することができる。
【００４６】
また、請求項３記載の発明によれば、トレイと張り出し部との境界に形成されたトレイの角部をＲ形状または面取り形状としたため、外部からの衝撃によりディスク状記録媒体が撓んでもトレイの角部がないので、過大な衝撃が入力された場合でもディスク状記録媒体の記録面が損傷することを防止することができる。
【００４７】
また、請求項４記載の発明によれば、前面に取り付けられる前面ベゼルをトレイの移動方向に沿う動きを規制するように係止する第１の係止部と、第１の係止部の係止解除方向の動きを規制するように係止する第２の係止部とを備えたため、前面ベゼルを引き出す方向に力が作用した場合でも前面ベゼルの脱落を確実に防止できる。
【図面の簡単な説明】
【図１】従来のディスク装置の一例を示す図である。
【図２】本発明になるディスク装置の一実施例を示す平面図である。
【図３】トレイをディスク装着位置に挿入した状態を示す平面図である。
【図４】トレイをディスク装着位置に挿入した状態を示す斜視図である。
【図５】トレイ２０と低摩擦部材２５との高さ関係を示す縦断面図である。
【図６】前面ベゼル３０の取り付け構造を説明するための底面図である。
【図７】前面ベゼル３０の底面図である。
【図８】前面ベゼルをトレイに取り付ける作業工程を説明するための分解斜視図である。
【図９】前面ベゼルをトレイに取り付ける際の作業手順を拡大して示す底面図である。
【図１０】前面ベゼルをトレイに取り付けた状態を拡大して示す底面図である。
【符号の説明】
１１  ディスク装置
１６  フレーム
１６ａ  張り出し部
１８  ターンテーブル
２０  トレイ
２２  光ディスク
２４  ディスク収納部
２５  低摩擦部材
２６  光ピックアップ
３０  前面ベゼル
３０ａ  フック
３０ｂ  凹部
３０ｃ  突部
３２  イジェクト釦
４４  Ｌ字状突部
４６  ストッパ部
【図１】
0004051951.tif 000002
【図２】
0004051951.tif 000003
【図３】
0004051951.tif 000004
【図４】
0004051951.tif 000005
【図５】
0004051951.tif 000006
【図６】
0004051951.tif 000007
【図７】
0004051951.tif 000008
【図８】
0004051951.tif 000009
【図９】
0004051951.tif 000010
【図１０】
0004051951.tif 000011